(57)【要約】【課題】  構成部品を削減し、構造を簡素化した負荷時タップ切換器の電動操作機構を提供する。【解決手段】  機構部３と制御部４を分離し、例えば、変圧器５上部に設置した機構部３と変圧器５側面に設置した制御部４を配線用ケーブル６で接続する。制御部４が出力するタップ切換指令に応じて機構部３により負荷時タップ切換器１を駆動し、変圧器巻線のタップを切換える。これにより、負荷時タップ切換器１と機構部３間を機械的に連結する駆動軸やギヤボックスが不要となり、電動操作機構２の構造を簡素化し、構成部品を削減できる。【選択図】        図１
2016081982.tif 000002
【特許請求の範囲】
【請求項１】
変圧器の励磁状態又は負荷がかかった状態で変圧器巻線のタップを切換える負荷時タップ切換器において、各種電装品を備えて前記タップの切換指令を出力する制御部と、該制御部と機械的に分離し、有線又は無線により信号伝送可能に接続して、前記制御部のタップ切換指令に応じて負荷時タップ切換器を駆動する機構部を備えて構成したことを特徴とする負荷時タップ切換器の電動操作機構。
【発明の詳細な説明】
【技術分野】
【０００１】
本発明は、構成部品を削減し構造を簡素化した負荷時タップ切換器の電動操作機構に関する。
【背景技術】
【０００２】
従来から、変圧器巻線のタップを、変圧器の負荷を切らないまま切り換えて、変圧比を常時調整し、送り出し電圧を一定に保つ負荷時タップ切換器は知られている（下記特許文献１参照）。
【先行技術文献】
【特許文献】
【０００３】
【特許文献１】特開平９−２１３５４２
【０００４】
図２に従来の負荷時タップ切換器１０１を示す。負荷時タップ切換器１０１は絶縁筒１０２内に収納した切換開閉器１０３と、絶縁筒１０２の下方に位置するタップ選択器１０４から概略構成され、変圧器１０５に取り付けられる。
【０００５】
負荷時タップ切換器１０１は、変圧器１０５側面に設置した電動操作機構１０６と縦の駆動軸１０７及びギヤボックス１０８と横の駆動軸１０９を介して機械的に連結されている。電動操作機構１０６は、縦の駆動軸１０７を駆動する電動機１１０と、各種センサ１１１ａ〜１１１ｄ、及び、各種センサ１１１ａ〜１１１ｄの状態を監視する状態監視装置１１２から構成されている。
【０００６】
電動操作機構１０６によって変圧器巻線のタップを切換える場合は、電動操作機構１０６の図示しない操作スイッチを操作者が操作し、電動操作機構１０６内の電動機１１０を駆動して縦の駆動軸１０７を回転駆動させる。
【０００７】
縦の駆動軸１０７の回転駆動はギヤボックス１０８を介して横の駆動軸１０９に伝達され、横の駆動軸１０９の回転駆動が負荷時タップ切換器１０１に伝達されることにより負荷時タップ切換器１０１を駆動する。
【発明の概要】
【発明が解決しようとする課題】
【０００８】
図２に示す電動操作機構１０６は、負荷時タップ切換器１０１を駆動する電動機１１０を変圧器１０５の側面に設置しているので、電動機１１０の動力を負荷時タップ切換器１０１に伝達する縦の駆動軸１０７とギヤボックス１０８及び横の駆動軸１０９が必須であり、構造が複雑化する。
【０００９】
本発明は負荷時タップ切換器の電動操作機構の構造を極力簡素化することを目的とする。
【課題を解決するための手段】
【００１０】
請求項１記載の発明は、変圧器の励磁状態又は負荷がかかった状態で変圧器巻線のタップを切換える負荷時タップ切換器において、各種電装品を搭載して前記タップの切換指令を出力する制御部と、当該制御部と機械的に分離し、有線又は無線により信号伝送可能に接続して、前記制御部のタップ切換指令に応じて負荷時タップ切換器を駆動する機構部を備えて構成したことを特徴とする。
【発明の効果】
【００１１】
請求項１記載の発明によれば、機構部と制御部を機械的に分離して、双方を有線又は無線接続することにより、負荷時タップ切換器と電動操作機構を構成する機構部間を機械的に連結する縦と横の駆動軸及びギヤボックスが不要となり、電動操作機構の構造を簡素化できる。
【図面の簡単な説明】
【００１２】
【図１】本発明の負荷時タップ切換器の電動操作機構を変圧器に取り付けた状態を示す図である。
【図２】従来の負荷時タップ切換器の電動操作機構を変圧器に取り付けた状態を示す図である。
【発明を実施するための形態】
【００１３】
以下、本発明の実施の形態について図１を用いて説明する。図１は本発明に係る負荷時タップ切換器１の電動操作機構２を変圧器５に取り付けた状態を示している。
【００１４】
本発明の負荷時タップ切換器１の電動操作機構２は、機構部３と制御部４を機械的に分離して、機構部３を例えば、負荷時タップ切換器１の上部に位置する変圧器５の上面に配置し、制御部４を変圧器５の側面の操作者が操作し易い高さ位置に配置する。
【００１５】
機構部３と制御部４間は例えば、配線用ケーブル６によって電気的に接続され、制御部４によって機構部３が駆動制御される。
【００１６】
機構部３には、負荷時タップ切換器１を駆動する電動機７や、負荷時タップ切換器１の動作状態から変圧器巻線のタップ位置を検出する位置検出器８が備えられている。
【００１７】
変圧器巻線のタップを切換える場合は、制御部４からタップの切換指令を、配線用ケーブル６を介して機構部３に出力すると、これを受けた機構部３は電動機７を駆動する。電動機７の駆動は負荷時タップ切換器１に伝達され、負荷時タップ切換器１によって変圧器巻線のタップが切換えられる。
【００１８】
機構部３内の位置検出器８は、負荷時タップ切換器１の動作状態から変圧器巻線のタップ位置を検出し、その結果を、配線用ケーブル６を介して制御部４に出力する。これを受けた制御部４は負荷時タップ切換器１の駆動を終了すべく、配線用ケーブル６を介してタップの切換終了指令を機構部３に出力し、電動機７を停止させる。
【００１９】
このように、本発明は、機構部３と制御部４を機械的に分離して電動操作機構２を構成し、分離した機構部３と制御部４間を配線用ケーブル６で接続することによって、図２に示す従来の電動操作機構１０６に連結される縦の駆動軸１０７やギヤボックス１０８及び横の駆動軸１０９が不要となり、電動操作機構２の構造を簡素化することができる。
【００２０】
また、従来、両駆動軸１０７，１０９の存在により配置場所に制約が生じていた電動操作機構２を、作業性や操作性等を考慮した自由な位置に配置することが可能となる。
【００２１】
なお、前述した実施例では、電動操作機構２を構成する機構部３を変圧器５の上面に配置し、制御部４を変圧器５の側面に配置した場合について説明したが、本発明の技術的範囲はこのような配置に限定されるものではなく、本発明の趣旨を逸脱しない範囲で変更したあらゆる配置も含まれることは当然である。
【００２２】
また、機構部３と制御部４間を接続する配線用ケーブル６に変えて、双方を無線によって通信可能に構成しても良いし、さらに位置検出器８は機構部３内以外に設けても本発明は成立する。
【００２３】
以上説明したように、本発明の負荷時タップ切換器の電動操作機構によれば、従来の電動操作機構と比較して、その構造を簡素化することができ、構成部品を削減することができる。
【産業上の利用可能性】
【００２４】
本発明は、制御部からの指令を受けて動作する機構部を備えたあらゆる機器に利用可能である。
【符号の説明】
【００２５】
１，１０１  負荷時タップ切換器
２，１０６  電動操作機構
３  機構部
４  制御部
５，１０５  変圧器
６  配線用ケーブル
７，１１０  電動機
８  位置検出器
１０２  絶縁筒
１０３  切換開閉器
１０４  タップ選択器
１０７  縦の駆動軸
１０８  ギヤボックス
１０９  横の駆動軸
１１１ａ〜１１１ｄ  各種センサ
【図１】
2016081982.tif 000003
【図２】
2016081982.tif 000004